(57)【要約】      （修正有）【課題】顧客が製品に興味を持った段階で、その製品の情報を適時に顧客に提供し、その製品の購入機会を逃さないようにすることによって、宣伝効果を高めるとともに広告費を削減することができる広告システムを提供する。【解決手段】広告対象となる製品情報と、広告者となる顧客の個人情報と、を格納するデータベースと、広告代を計算する広告代処理部と、を有する管理サーバと、アカウントに作成されたウェブログの記事を更新する広告者の端末と、広告者の端末と直接通信し、広告者が所持する製品の情報を広告者の端末から取得する製品の潜在顧客の端末と、によって構成される。潜在顧客の端末は、ウェブログのＵＲＬ情報を基に管理サーバにアクセスして製品に関する情報を取得し、広告代処理部は、ウェブログへのアクセス数に応じて広告者に対して支払う広告代を計算し、潜在顧客による製品の購入情報を取得した際には広告者に対して支払う報酬を計算する。【選択図】図１
2014225193.tif 000002
【特許請求の範囲】
【請求項１】
広告対象となる製品の情報と、広告者となる登録をした顧客の個人情報と、を格納するデータベースと、
前記製品に関する広告代を計算する広告代処理部と、を有する管理サーバと、
前記管理サーバに設けられたアカウントに作成されたウェブログの記事を更新する前記広告者の端末と、
前記広告者の端末と直接通信し、前記広告者が所持する前記製品の情報を前記広告者の端末から取得する前記製品の潜在顧客の端末と、によって構成される広告システムであって、
前記潜在顧客の端末は、
前記広告者の端末から取得した前記製品の情報が掲載された前記ウェブログのＵＲＬ情報を基に前記管理サーバにアクセスして前記製品に関する情報を取得し、
前記広告代処理部は、
前記ウェブログへのアクセス数に応じて前記広告者に対して支払う広告代を計算し、前記潜在顧客による前記製品の購入情報を取得した際には前記広告者に対して支払う報酬を計算することを特徴とする広告システム。
【請求項２】
前記潜在顧客の端末は、前記広告者の端末と直接無線通信することを特徴とする請求項１に記載の広告システム。
【請求項３】
前記潜在顧客の端末は、前記広告者の端末と赤外線通信することを特徴とする請求項１又は２に記載の広告システム。
【請求項４】
前記広告代処理部は、
前記広告者の端末から配信される前記ＵＲＬ情報から前記ウェブログへのアクセスと、
前記ＵＲＬ情報とは異なるリンク元から前記ウェブログへのアクセスとを区別し、
前記ＵＲＬ情報とは異なるリンク元からのアクセスよりも、前記ＵＲＬ情報からのアクセスに対して、１アクセスあたりに支払う前記広告代を大きく設定することを特徴とする請求項１乃至３のいずれか一項に記載の広告システム。
【請求項５】
前記ＵＲＬ情報を記憶するコードが印刷されたタグを備え、
前記潜在顧客の端末は、前記コードを読み取ることによって、前記ＵＲＬ情報を取得することを特徴とする請求項１乃至４のいずれか一項に記載の広告システム。
【請求項６】
前記ＵＲＬ情報を記憶するＩＣタグを備え、
前記潜在顧客の端末は、前記ＩＣタグを読み取ることによって、前記ＵＲＬ情報を取得することを特徴とする請求項１乃至５のいずれか一項に記載の広告システム。
【請求項７】
前記広告代処理部は、
計算した前記広告代を、前記広告者の端末に通知することを特徴とする請求項１乃至６のいずれか一項に記載の広告システム。
【請求項８】
前記広告代処理部は、
計算した前記広告代を前記広告者の指定した口座に振込む処理を実行することを特徴とする請求項１乃至７に記載の広告システム。
【請求項９】
前記広告者による前記製品の購入情報を登録し、前記管理サーバに前記広告者による購入情報を送信するレジ端末を備えることを特徴とする請求項１乃至８のいずれか一項に記載の広告システム。
【請求項１０】
前記レジ端末は、
前記潜在顧客による前記製品の購入情報を登録し、前記管理サーバに前記潜在顧客による購入情報を送信することを特徴とする請求項９に記載の広告システム。
【発明の詳細な説明】
【技術分野】
【０００１】
本発明は、実際の製品を広告媒体として利用する広告システムに関する。
【背景技術】
【０００２】
これまで、商品の購入を促すために顧客に対して発信される情報は、テレビや新聞などのマスメディアを通じ、商品のメーカーや広告業者などの情報発信元から、不特定多数の受け手となる消費者に向けて発信されることが主であった。近年、インターネットのようなネットワークメディアの普及によって、商品情報は消費者に対して一方的に与えられるだけではなく、消費者が求める商品情報を選択して取得しやすくなっている。このように、顧客による商品情報の取得ルートの多様化によって、顧客のニーズも多様化するとともに高度化しているのが現状である。
【０００３】
メーカー側は、テレビ、雑誌、インターネット等、莫大な広告費をかけて製品のプロモーションを行っている。しかしながら、多様化する顧客のニーズを掴むことは容易ではない。メーカーは、顧客の購買意欲を掻き立て、その製品を購入するためにその顧客を店舗に来店させ、その製品の購入することに至らせるような広告手段を求めている。
【０００４】
商品の広告においては、適切なメディアを選択できれば、そのメディアを通じた広告によって営業効果が得られる。しかしながら、多様化したメディアの中から、商品の売り上げに直結するようなメディアを選択することは容易なことではない。また、商品広告を出したことによって、どの程度商品の売り上げが増加したかを把握することは難しい。このような課題は、商品を製造するメーカー及び広告業界において共通である。
【０００５】
また、一般的に、広告において生じる莫大な広告費は、製品販売価格に上乗せされているのが現状である。そのため、顧客は、求める商品を適切な価格で手に入れにくい状況にある。広告費用の削減につながるような商品広告手段を実現できれば、製品販売価格を抑えることも可能である。そのような商品広告手段を実現できれば、メーカー及び顧客の双方にとってメリットがある。
【０００６】
特許文献１には、インターネットを利用して携帯電話機に広告等の情報を表示させる情報提供サービスが開示されている。
【０００７】
特許文献１の情報提供システムにおいて、利用者は、広告媒体に掲載された商品に関して、管理サーバのＵＲＬ情報と広告主を識別する広告主識別情報とを含む２次元コードを携帯電話機のカメラで読み取り、管理サーバにアクセスする（ＵＲＬ：Ｕｎｉｆｏｒｍ  Ｒｅｓｏｕｒｃｅ  Ｌｏｃａｔｏｒ）。管理サーバは、携帯電話機から取得した広告主識別情報に基づいて広告主のサーバに接続し、取得した情報を携帯電話機に表示させるとともに、広告主の広告主識別情報ごとにアクセス度数をカウントする。さらに、このアクセス累計度数が予め設定したアクセス上限度数を超えた広告主への情報提供が要求されると、管理サーバは、他の広告主のサーバにリンクを張ったバナー広告付きのウェブページを、アクセスした携帯電話機に表示させる。
【先行技術文献】
【特許文献】
【０００８】
【特許文献１】特開２００６−３２３７９８号公報
【発明の概要】
【発明が解決しようとする課題】
【０００９】
例えば、ある人が街中で見かけた他人の身に付けている衣服などの製品に興味を持ったとしても、それがどんなブランドなのか、どこで購入できるのか、価格がどの程度なのか、といった情報は分からないことが多い。すなわち、偶然見かけた製品に対して購買意欲を持った顧客であっても、購買意欲がある段階で購入を希望する製品の情報を入手できなければ購入に至らないことになる。
【００１０】
このようなケースでは、顧客が購入する可能性が高い製品がありながら、情報を適時に得られないために、その顧客が購入対象とする製品を購入できず、その製品を販売するメーカーは販売機会を逃すことになる。
【００１１】
特許文献１の情報提供システムによれば、ユーザの要求に応じて、広告等の情報を携帯電話機に表示させることができる。そのため、広告主が高度なソフト開発を行わなくても、管理サーバを通じて、宣伝効果や売り上げの向上を計ることが可能となる。また、特定の広告へのアクセス数が増加した場合、異なる広告主の情報にアクセスするようにしている。そのため、広告主への課金上限が設定されることになるので、広告主への過剰な課金を抑制することができる。
【００１２】
しかしながら、特許文献１の情報提供システムでは、広告等の情報を利用者の要求に応じて提供するため、利用者が偶然見かけたような製品に対しては広告効果が得られない。
【００１３】
本発明は、顧客が製品に興味を持った段階で、その製品の情報を適時に顧客に提供し、その製品の購入機会を逃さないようにすることによって、宣伝効果を高めるとともに広告費を削減することができる広告システムを提供することを目的とする。
【課題を解決するための手段】
【００１４】
本発明の広告システムは、広告対象となる製品の情報と、広告者となる登録をした顧客の個人情報と、を格納するデータベースと、製品に関する広告代を計算する広告代処理部と、を有する管理サーバと、管理サーバに設けられたアカウントに作成されたウェブログの記事を更新する広告者の端末と、広告者の端末と直接通信し、広告者が所持する製品の情報を広告者の端末から取得する製品の潜在顧客の端末と、によって構成される広告システムであって、潜在顧客の端末は、広告者の端末から取得した製品の情報が掲載されたウェブログのＵＲＬ情報を基に管理サーバにアクセスして製品に関する情報を取得し、広告代処理部は、ウェブログへのアクセス数に応じて広告者に対して支払う広告代を計算し、潜在顧客による製品の購入情報を取得した際には広告者に対して支払う報酬を計算することを特徴とする。
【発明の効果】
【００１５】
本発明によれば、顧客が製品に興味を持った段階で、その製品の情報を適時に顧客に提供し、その製品の購入機会を逃さないようにすることによって、宣伝効果を高めるとともに広告費を削減することができる。
【図面の簡単な説明】
【００１６】
【図１】本発明の実施形態に係る広告システムの構成を示す図である。
【図２】本発明の実施形態に係る管理サーバの内部構成を示す図である。
【図３】本発明の実施形態に係る広告システムの動作を示すシークエンス図である。
【図４】本発明の実施形態の変形例に係る広告システムの動作を示すシークエンス図である。
【図５】本発明の実施形態の変形例に係る広告システムの動作を示すシークエンス図である。
【図６】本発明の実施例に係る広告システムを説明するための図である。
【図７】本発明の実施例に係る広告者のブログの一例である。
【図８】本発明の実施例に係る広告者のブログ記事の一例である。
【発明を実施するための形態】
【００１７】
以下に、本発明を実施するための形態について図面を用いて説明する。ただし、以下に述べる実施形態には、本発明を実施するために技術的に好ましい限定がされているが、発明の範囲を以下に限定するものではない。
【００１８】
（実施形態）
まず、図１を用いて本発明の実施形態に係る広告システム１の構成について説明する。
【００１９】
本実施形態に係る広告システム１は、管理サーバ１０と、レジ端末２０と、広告者の端末３０と、広告タグ３５と、を備える。
【００２０】
広告者とは、管理サーバ１０を運営するメーカーの製品５０を購入し、かつ本実施形態に係る広告システム１において、製品５０の広告を行う主体である。広告者は、製品５０に関するＵＲＬ情報を、広告タグ３５を通じて提供する。なお、広告者は、必ずしも製品５０を購入した顧客である必要はなく、広告者として登録した顧客でありさえればよい。
【００２１】
また、広告者の広告活動によって製品５０に興味を持った他者が、その製品５０の情報にアクセスすると、その他者は潜在顧客とみなされる。そのような状況に至れば、潜在顧客の潜在顧客端末４０は、本実施形態の広告システム１の構成要素となる。
【００２２】
潜在顧客端末４０は、広告者端末３５から広告者のウェブログ（以下、ブログ）のＵＲＬ情報を取得することができる。
【００２３】
本発明の実施形態に係る広告システム１は、管理サーバ１０と、レジ端末２０と、広告者端末３０と、広告タグ３５と、潜在顧客端末４０と、がインターネット１００で接続されるとともに、広告者端末３０と潜在顧客たんまつ４０とが直接接続することによって構成される。
【００２４】
（管理サーバ）
管理サーバ１０は、製品５０を販売するメーカーによって管理・運営される。なお、管理サーバ１０は、メーカーが所有する自社内サーバでもよく、外部のデータセンターに設けられたサーバでもよく、その設置形態に限定を加えない。また、管理サーバ１０は、メーカーによって直接管理・運営されていてもよいし、実質的には外部のサーバ管理・運営会社によって管理・運営されていてもよい。
【００２５】
管理サーバ１０は、図２のように、情報サーバ１１と、ウェブサイトサーバ１２と、広告代諸リブ１５と、通信部１９と、を含む。なお、情報サーバ１１及びウェブサイトサーバ１２は、管理サーバ１０によって管理されれば、管理サーバ１０の外部に設けられていてもよい。また、管理サーバ１０は、演算機能、通信機能、記憶機能などといった一般的なサーバが有する機能を有する。
【００２６】
また、管理サーバ１０は、情報サーバ１１に接続された、メーカーの顧客情報を含む顧客情報データベース（以下、顧客ＤＢ１１１）と、製品５０の製品情報を含む製品情報データベース（以下、製品ＤＢ１１２）と、を備える。さらに、管理サーバ１０は、ウェブサイトサーバ１２に接続された、メーカーが運営するウェブサイト情報を含むウェブサイトデータベース（以下、サイトＤＢ１２１）と、広告者である顧客のブログ情報を含むブログデータベース（以下、ブログＤＢ１２２）と、を備える。
【００２７】
情報サーバ１１は、顧客ＤＢ１１１に登録された顧客情報と、製品ＤＢ１１２に格納された製品５０の製品情報と、を処理する。
【００２８】
ウェブサーバ１２は、メーカーの情報を掲載するウェブサイト（広告サイト）を運営するための処理を実行する。また、ウェブサーバ１２は、製品５０を購入した顧客が広告者として登録されると、広告サイトに広告者（購入者）のアカウントを作成し、広告者にブログ作成の権限を発行する。購入者のアカウントには、購入情報が記録される。
【００２９】
ウェブサーバ１２は、広告者のブログへのアクセスカウント数（以下、アクセス数）を計算し、そのアクセス数をブログＤＢ１２２に格納する。
【００３０】
（広告代処理部）
広告代処理部１５は、メーカーが広告者に支払う広告代を計算する。広告代の計算は、ブログへのアクセス数が変化したタイミングや、製品５０が購入されたタイミングで逐一実行されてもよいし、定期的に実行されてもよい。例えば、一週間や一月ごとなどの定期で集計を実施すればよい。
【００３１】
広告代処理部１５は、必要に応じて、広告者への広告代の通知・支払処理を実行する。また、アカウントカウント数が変化するたびに、現在の広告代を広告者に通知するようにしてもよい。
【００３２】
広告代処理部１５は、広告者のブログのアクセス数に応じて、広告者へ支払う広告代を計算する。例えば、広告代処理部１５は、１アクセスあたりに設定された支払金額に、広告者のブログへの総アクセス数を乗じた広告代を計算すればよい。例えば、１アクセスあたりの支払金額を１円に設定すれば、１０００アクセスでは１０００円の広告代となる。なお、基礎支払金額は１００アクセスあたりなどのまとまったアクセス数ごとに設定されていてもよいし、広告代に上限を設定してもよい。
【００３３】
広告者端末３０から潜在顧客端末４０に提示するブログのＵＲＬ情報を、広告者固有のものにしておけば、そのＵＲＬ情報によるブログへのアクセスを特定できる。そのため、潜在顧客端末４０によるブログへのアクセスを、その他のリンク先からのアクセスと区別することができる。例えば、その他のリンク先からのアクセスにおける１アクセスあたりの支払金額よりも、潜在顧客端末４０からのアクセスにおける１アクセスあたりの支払金額を高く設定してもよい。例えば、その他のリンク先からのアクセスについては１アクセスあたり０．１円とし、潜在顧客端末４０からのアクセスについては１アクセスあたり１０円に設定するなどすればよい。
【００３４】
また、広告代処理部１６は、潜在顧客が製品５０を購入した場合、その購入実績に応じた広告代（実績報酬）を計算する。例えば、潜在顧客５０による製品５０の購入に関して、製品５０の売り上げに応じた広告代（実績報酬）を広告者に支払うようにすればよい。例えば、１００００円の製品であれば、その価格の５％に相当する５００円を実績報酬にあてればよい。
【００３５】
例えば、アクセス数から計算される広告代に比べて、広告者のブログを見た潜在顧客が製品５０を購入した結果に対して支払う広告代（実績報酬）を高額に設定すれば、広告者がブログに記載する内容が充実することも期待される。メーカーとしても、実際に販売された製品に対してのみ相当の実績報酬を支払えばよいので、売れるか分からない製品に対して莫大な広告代を支払い続けるデメリットもなくなるため、広告費用の削減にもつながる。
【００３６】
また、広告代処理部１５は、広告者に対して、広告代を通知するようにしてもよい。例えば、アクセス数や製品５０の購入に対応させてリアルタイムで広告者に通知するようにしてもよいし、支払機会ごとに通知してもよい。
【００３７】
また、広告代処理部１５は、広告者に対して、広告代の支払処理を実行するようにしてもよい。例えば、広告代処理部１５は、メーカーが保有する口座への振込権限を有するシステムに接続し、そのシステムに広告者が指定した口座への振込処理を実行させるようにすればよい。
【００３８】
管理サーバ１０の通信機能は、通信部１９によって実現される。通信部１９は、一般的なサーバが有する通信機能を有し、インターネット１００を介して、レジ端末２０、広告装置３０、潜在顧客端末４０及び管理サーバ１０とのデータ通信を可能とする。
【００３９】
（レジ端末）
レジ端末２０は、販売店に設けられるキャッシュレジスターである。
【００４０】
販売店のレジ端末２０には、広告者となる顧客が製品５０を購入する際に、広告者（顧客）の登録ＩＤと、購入した製品ＩＤとを記録・送信する端末装置が設けられている。レジ端末２０は、購入された製品５０の購入情報を管理サーバ１０に送信する機能を有する。
【００４１】
レジ端末２０としては、販売時点の購入情報を登録・送信する機能を有するＰＯＳシステムを備えたものが好ましい（ＰＯＳ：Ｐｏｉｎｔ−ｏｆ−Ｓａｌｅｓ）。購入情報は、レジ端末２０に設けられた通信装置によって、インターネット１００などのネットワーク回線を通じて管理サーバ１０に送信される。
【００４２】
（広告者端末）
広告者端末３０は、製品５０を購入し、その製品５０の広告を行う登録をした広告者が所有する端末である。例えば、広告者端末３０には、広告者が所有する携帯電話やスマートフォンなどの携帯端末を用いることができる。インターネット１００に接続できる環境であれば、パーソナルコンピュータなどの据付型の端末であってもよい。その端末にダウンロードしたソフトウェアや、クラウドで提供されるソフトウェアサービスによって、広告者端末３０の機能を実現することができる。
【００４３】
また、製品５０のメーカーから支給される特有のデバイスを広告者端末３０としてもよい。なお、これ以降、広告者端末３０は携帯端末であることを想定して説明をする。
【００４４】
広告者端末３０は、製品５０を広告するためのウェブサーバ１２へのアクセスを可能とし、その製品５０を所持する広告者が作成したブログを更新する機能を有すればよい。
【００４５】
（広告タグ）
広告タグ３５は、製品５０を購入し、その製品５０の広告を行う登録をした広告者によって所持されるデバイスである。例えば、広告タグ３５は、広告者が所有する携帯電話やスマートフォンなどの携帯端末に含まれてもよいし、製品５０のメーカーから支給される特有のデバイスでもよい。
【００４６】
広告タグ３５は、製品５０を広告するサイトへのリンクする情報を持ち、その製品５０を所持する広告者が作成したブログへのリンク情報を持つ。ブログへのリンク情報がブログのＵＲＬ情報であれば、潜在顧客端末４０は、広告タグ３５からブログのＵＲＬ情報を読み取り、そのＵＲＬのブログに接続することができる（ＵＲＬ：Ｕｎｉｆｏｒｍ  Ｒｅｓｏｕｒｃｅ  Ｌｏｃａｔｏｒ）。
【００４７】
広告タグ３５から潜在顧客端末４０へのＵＲＬ情報の提供方法としては、下記のような方法を挙げられる。
【００４８】
（１）広告者端末３０と潜在顧客端末４０との端末間通信機能を利用する。
【００４９】
まず、潜在顧客が広告者に直接声をかけるなどして、ブログのＵＲＬ情報の送信を依頼する。広告者は、お互いが所有する携帯端末が備える赤外線通信機能を用いて、自身が作成したブログのＵＲＬ情報を潜在顧客の携帯端末へ送信する。また、Ｂｌｕｅｔｏｏｔｈ（登録商標）を使用できる端末であれば、携帯端末が備える無線通信機能によって、端末間通信をすることができる。さらに、無線ＬＡＮやネットワークを経由した通信機能を用いて、端末間通信を実現してもよい。
【００５０】
（２）製品５０に埋め込まれた広告タグ３５を用いる。
【００５１】
製品５０には、外部から読み取れるＵＲＬ情報を埋め込んでおく。潜在顧客は、自身の携帯端末（潜在顧客端末４０）が有する読取機能によってＵＲＬ情報を取得する。
【００５２】
例えば、製品５０が衣服である場合、バーコードや２次元コード（マトリックスコード）などのコードにＵＲＬ情報をタグに埋め込むことができる。ＵＲＬ情報を記憶させたコードは、広告者の服にデザインに影響のない状態で埋め込むことができる。例えば、衣服の商品タグのタグなどに２次元コードの形で印刷しておけばよい。コードとして２次元コードを用いれば、携帯端末（潜在顧客端末４０）が備えるカメラ装置で２次元コードを撮影・取得することによって、その製品５０のＵＲＬ情報を取得することができる。なお、衣服に描かれたデザインやマークそのものから、ＵＲＬ情報が読み取れるようにしてもよい。
【００５３】
また、衣服のタグに、ＵＲＬ情報を記憶させたＩＣタグやＮＦＣタグを埋め込んでおけば、潜在顧客の携帯端末をタグにかざすことによって、携帯端末はＵＲＬ情報を取得することができる（ＩＣ：Ｉｎｔｅｇｒａｔｅｄ  Ｃｉｒｃｕｉｔ、ＮＦＣ：ｎｅａｒ  ｆｉｅｌｄ  ｃｏｍｍｕｎｉｃａｔｉｏｎ）。
【００５４】
（３）広告タグ３５の機能を有する広告者端末３０からのプッシュ通信を用いる。
【００５５】
広告者の携帯端末（広告者端末３０）が使用されていないとき、半径数ｍ以内に限って、常に携帯端末からＵＲＬ情報を配信させておく。潜在顧客が広告者の数ｍ以内に近づくと、広告者の携帯端末は、プッシュ通信によって、潜在顧客端末４０にＵＲＬ情報を配信する。潜在顧客は、潜在顧客の携帯端末によってプッシュ通信により配信された情報を取得し、その製品のＵＲＬ情報を取得することができる。
【００５６】
（４）潜在顧客端末４０のＵＲＬ取得要求に応じて、広告タグ３５から潜在顧客端末４０にＵＲＬ情報を提供する。
【００５７】
例えば、広告者の携帯端末（広告者端末３０）には、潜在顧客から発信されたＵＲＬ取得要求に応じて、受け取った瞬間に起動するデバイス（広告タグ３５）を搭載する。起動したデバイス（広告タグ３５）は、潜在顧客端末４０にＵＲＬ情報を配信する。ＵＲＬ情報を送信し終わると、通信は終了する。なお、このデバイス（広告タグ３５）は、広告者の携帯端末（広告者端末３０）に装荷されていてもよい。
【００５８】
例えば、ＵＲＬ取得要求は、赤外線などの光通信機能、無線信号などの無線通信機能などを利用して発信することができる。広告者の携帯端末（広告者端末３０）が潜在顧客端末４０からＵＲＬ取得要求を受信すると、広告者の携帯端末（広告者端末３０）は、潜在顧客端末４０に対してＵＲＬ情報を配信する。
【００５９】
なお、ＵＲＬ情報の提供手段は、上記の４つの手段に限定されず、潜在顧客端末４０が、広告タグ３５（広告者端末３０）から広告者の所持する製品５０のＵＲＬ情報を、その場で取得することができさえすればよい。
【００６０】
例えば、上記の１、３、４については、広告者端末３０の通信機能等によって実現できる。この場合、広告タグ３５は、広告者端末３０の一機能として実現することができる。また、上記の２については、製品５０のＵＲＬ情報を含むＩＣタグやコードを広告タグ３５に埋め込み、広告タグ３５を潜在顧客端末４０によって読み取れるようにすることによって実現できる。すなわち、広告タグ３５は、広告者端末３０に含む構成としてもよいし、広告者端末３０とは別の構成としてもよい。
【００６１】
潜在顧客は、上記の手段のいずれかを用いれば、街中で偶然見かけて購入したいと思った製品のＵＲＬ情報をタイミングよく取得し、そのＵＲＬ情報から広告者のブログにアクセスして製品情報を得ることができる。
【００６２】
（潜在顧客端末）
潜在顧客端末４０としては、携帯電話やスマートフォンなどの通信機能を有する携帯端末を用いることができる。また、携帯端末ではなくても、広告者端末３０や広告タグ３５と接続できさえすれば、パーソナルコンピュータなどの据付型のコンピュータを用いることができる。
【００６３】
潜在顧客端末４０は、広告タグ３５（広告者端末３０）から、広告タグ３５を所有する広告者のブログのＵＲＬ情報を読み取る機能を有する。例えば、潜在顧客端端末４０は、無線通信機能や赤外線通信機能によって、広告装置３０からＵＲＬ情報を取得する。
【００６４】
潜在顧客端末４０は、読み取ったＵＲＬ情報を基に管理サーバ１０にアクセスし、管理サーバ１０内にある広告者のブログにアクセスすることができる。
【００６５】
潜在顧客は、潜在顧客端末４０を通じて製品５０に関する広告者のブログを閲覧することができる。潜在顧客によるブログへのアクセスは、アクセスとしてブログＤＢ１２２に格納される。また、メーカーのウェブサーバに掲載された広告者のブログへのリンク手段（ＵＲＬ情報）からのアクセスと、本実施形態に係る広告システムによるアクセスとを別のカウントとして格納しておけば、広告者の広告活動によるアクセスを特定できる。
【００６６】
また、潜在顧客が製品５０を購入するに至った場合、潜在顧客が製品５０を購入したことは、レジ端末２０を通じて管理サーバ１０に通知される。このとき、管理サーバ１０は、潜在顧客が製品５０を購入した旨を、潜在顧客端末４０を通じて確認するようにしてもよい。
【００６７】
メーカーは、広告者が作成したブログのアクセス数と製品総流通量とを勘案して広告代を算出し、広告者に広告代を支払う。例えば、アクセス数に応じて小額の広告代を支払い、アクセス数を製品総流通量との関係によっては、広告代の金額を割り増しするようにすればよい。また、広告者のブログにアクセスした潜在顧客が対象製品を購入した場合は、それに見合った金額の報酬を広告者に広告代として支払えばよい。
【００６８】
広告者に支払う広告代は、実際に製品が購買された段階で支払えばよいため、広告効果が得られるか分からない状況で多額の広告費用をかける必要がなくなり、実質的な広告費用の削減にもつながる。
【００６９】
本発明の実施形態に係る広告システムによれば、今までは販売機会を失っていた潜在顧客を実際の顧客として取り込むことができ、対象製品の販売量を実質的に伸ばすことができる。また、高額な広告媒体への広告費用の少なくとも一部を本実施形態に係る広告システムに回すことによって、実質的に広告費用を削減することができる。
【００７０】
以上が、本発明の実施形態に係る広告システムの構成である。なお、上述の構成は一例であって、種々の変形・追加を行ったものについても、本発明の範囲に含む。
【００７１】
（動作）
次に、本発明の実施形態に係る広告システムの動作について、図３を用いて説明する。なお、本動作説明においては、広告タグ３５は広告者端末３０の一機能によって実現するものとする。
【００７２】
まず、ある顧客（広告者）が販売店を訪れ、本実施形態に係る広告システム１の適用対象となる製品５０を購入したとする。
【００７３】
このとき、レジ端末２０は、広告者の登録ＩＤと購入した製品５０の製品ＩＤとをリンクさせ、管理サーバ１０に製品５０の購入情報を通知する（ステップＳ３１）。
【００７４】
なお、販売店はインターネット上の店舗であってもよい。その場合、レジ端末２０は、インターネット上の決済システムとして実現することができる。また、顧客がある製品の広告者となるのは、広告者の選択によって決定され、必ずしもその製品を購入したことによって広告者とならなくてもよい。
【００７５】
すなわち、広告者が既にメーカーが運営する広告システム１を利用していれば、既に登録済みのＩＤ番号を利用する。また、広告者が新規に登録する場合は、新規に広告者のＩＤ番号を登録する。
【００７６】
管理サーバ１０は、製品５０の広告者が所持する広告者端末３０に対して、管理サーバ１０内のウェブサイトサーバ１２へのアカウントを提供する（ステップＳ３２）。
【００７７】
管理サーバ１０は、既にその顧客（広告者）のアカウントが作成済みであれば、広告者の広告サイト内の個人アカウント内に購入情報を書き込む。なお、顧客（広告者）が広告システム１を初めて利用する場合、販売店などを通じてこの広告サービスについて案内し、希望があればその場でＩＤ番号を発行し、管理サーバ１０は、新規にアカウントを作成する。
【００７８】
このとき、広告者端末３０は、管理サーバ１０中のウェブサイトサーバ１２に接続し、自分のアカウントにアクセスし、ブログＤＢ１２２中の広告者のブログを更新する（ステップＳ３３）。
【００７９】
広告者は、広告サイトのアカウント上のブログに、購入した製品５０に関する詳細な情報を記載する。例えば、広告者は、その製品の使い心地などを主とした魅力ある情報を記述すればよい。
【００８０】
広告者は、製品５０を所持して、潜在顧客となりうる他者が製品５０を目撃するような広告行動によって、広告塔として機能する。ただし、本発明の実施形態においては、広告者が動作主体となるわけではなく、広告者が製品５０を所持していることに起因して、製品５０の情報が実世界情報（主に視覚情報）として提供されることとなる。なお、ここでいう実世界情報は、視覚以外の聴覚・嗅覚・味覚・触覚などの情報が組み合わさったものであってもよい。
【００８１】
例えば、衣服であれば、広告者がその衣服を身に着けて外出すればよい。また、帽子、靴、手袋、カバン、装飾品なども衣服と同様である。また、本発明の実施形態に係る広告システムは、衣類以外であっても、広告者が購入した製品を他人の目に触れるようにすることができ、その製品を他者が目にすることによって興味を持つようなものに適用することができる。
【００８２】
他者（潜在顧客）が広告者の所持する製品５０を目撃し、製品５０に興味を持ったとする。ここで、この他者は、製品５０に対する潜在顧客となる。
【００８３】
潜在顧客は、製品５０の情報を得るため、潜在顧客端末４０によって広告タグ３５にアクセスし、ブログのＵＲＬ取得要求をする（ステップＳ３４）。
【００８４】
このとき、潜在顧客端末４０は、広告タグ３５から情報を読み取る。広告者が所持する製品５０には、本実施形態の広告システム１が適用されているため、広告タグ３５に記憶されたＵＲＬ情報は、潜在顧客端末４０に配信される（ステップＳ３５）。
【００８５】
潜在顧客端末４０は、ブログのＵＲＬ情報を取得すると、そのＵＲＬ情報に従って、管理サーバ１０のウェブサイトサーバ１２にアクセスする（ステップＳ３６）。
【００８６】
ブログ中にはいくつかの購入品のリストがあり、興味を持った製品５０のリストにアクセスすると、広告者のその製品５０に対するコメント、詳細情報を閲覧することができる。
【００８７】
潜在顧客端末４０によるブログへのアクセスが発生した時点で、ブログにその製品５０に対するアクセス数が記録される。
【００８８】
管理サーバ１０は、潜在顧客端末４０にブログを通じて製品情報を提供する（ステップＳ３７）。
【００８９】
また、管理サーバ１０は、ブログのアクセス数をカウントする。例えば、広告代処理部１５によってアクセス数を取得し、ブログＤＢ１２２にそのアクセス数を格納すればよい。
【００９０】
ここで、広告代処理部１５は、アクセス数に応じた広告代を計算する。なお、広告代の計算においては、通常のブログへのアクセスによる計算と、広告タグ３５から潜在顧客端末４０に提供されたＵＲＬ情報を基にしたアクセスを別個に分けて計算する。広告タグ３５経由で提供されたＵＲＬ情報を基にしたアクセスに関しては、通常のアクセスと比較して１アクセスあたりの支払金額を高額に設定することが好ましい。
【００９１】
さらに、潜在顧客によって製品５０が購入されると、レジ端末２０から管理サーバ１０に、潜在顧客による製品５０の購入情報が送信される（ステップＳ３８）。
【００９２】
この際、潜在顧客が広告者のブログにアクセスしてから製品５０を購入した旨を購入情報に含めれば、製品５０の価格を割り引くようにする。例えば、販売店を訪れた際に、店員にブログを見た旨を伝え、広告者のブログが表示された携帯端末（潜在顧客端末４０）の画面をレジの店員に見せる。ブログを見せることで、潜在顧客に対し、製品購入価格の割引が効くものとすればよい。ここで、レジの店員は、ブログの作成者（広告者）のＩＤ番号とその購入された製品５０の型名を確認し、管理サーバ１０に購入情報を送信すればよい。
【００９３】
ここで、広告代処理部１５は、潜在顧客が製品５０を購入したことによって発生した広告者への広告代（実績報酬）を計算する。
【００９４】
メーカーは、ブログ作成者である製品５０の購入者（＝広告者）と、購入実績のあった製品５０を確認することができる。月々のブログの総アクセス数と製品５０の売り上げに応じて、月末などの指定期日にブログ作成者に広告代を支払えばよい。
【００９５】
以上が、本発明の実施形態に係る広告システム１の動作についての説明である。
【００９６】
（変形例）
また、本発明の実施形態に係る広告システム１について、図４及び図５のような変形例を示す。
【００９７】
まず、図４の変形例について説明する。図４の変形例では、広告代処理部１５よる広告代計算以降のステップが異なる。なお、図４のステップＳ４１〜Ｓ４７の動作は、図３のステップＳ３１〜Ｓ３７の動作と同様であるため、説明は省略する。
【００９８】
図４のステップＳ４７の後に、広告代処理部１５はアクセス数に応じた広告代を計算する。
【００９９】
管理サーバ１０は、計算された広告代を広告者端末３０に送信する（ステップＳ４８）。なお、広告代を広告者のブログのトップページの一部に表示するようにしてもよい。
【０１００】
さらに、潜在顧客によって製品５０が購入されると、レジ端末２０から管理サーバ１０に、潜在顧客による製品５０の購入情報が送信される（ステップＳ４９）。この際、潜在顧客が広告者のブログにアクセスしてから製品５０を購入した旨を購入情報に含めれば、製品５０の価格を割り引くようにする。
【０１０１】
ここで、広告代処理部１５は、潜在顧客が製品５０を購入したことによって発生した広告者への広告代（実績報酬）を計算する。
【０１０２】
管理サーバ１０は、計算された広告代（実績報酬）を広告者端末３０に送信する（ステップＳ５０）。
【０１０３】
以上が、図４に示した変形例の動作の説明である。図４の変形例では、広告代処理部１５が計算した広告代を、広告者に対して通知するようにした広告システムである。
【０１０４】
次に、図５の変形例について説明する。図５の変形例では、広告代処理部１５よる広告代計算以降のステップが異なる。なお、図５のステップＳ５１〜Ｓ５７の動作は、図３のステップＳ３１〜Ｓ３７の動作と同様であるため、説明は省略する。
【０１０５】
図５のステップＳ５７の後に、広告代処理部１５はアクセス数に応じた広告代を計算する。
【０１０６】
管理サーバ１０は、計算された広告代を広告者に支払う処理を実行する（ステップＳ５８）。例えば、管理サーバ１０がメーカーの振込システムにアクセスし、メーカーの銀行口座から広告者の銀行口座に広告代を振込むようにすればよい。なお、広告者への広告代の支払方法はここで挙げた限りではなく、広告代処理部１５が計算した広告代を広告者に支払うことができればよい。
【０１０７】
さらに、潜在顧客によって製品５０が購入されると、レジ端末２０から管理サーバ１０に、潜在顧客による製品５０の購入情報が送信される（ステップＳ５９）。この際、潜在顧客が広告者のブログにアクセスしてから製品５０を購入した旨を購入情報に含めれば、製品５０の価格を割り引くようにする。
【０１０８】
ここで、広告代処理部１５は、潜在顧客が製品５０を購入したことによって発生した広告者への広告代（実績報酬）を計算する。
【０１０９】
管理サーバ１０は、計算された広告代（実績報酬）を広告者に支払う処理を実行する（ステップＳ６０）。
【０１１０】
以上が、図５に示した変形例の動作の説明である。図５の変形例では、広告代処理部１５が計算した広告代を、広告者に支払うことができる広告システムである。なお、図４と図５の変形例を組み合わせてもよい。
【０１１１】
なお、図４及び図５の変形例は一例であって、本発明の範囲を限定するものではない。
【０１１２】
本発明の実施形態に係る広告システムにおいては、製品の購入者が製品を所持することによって広告者となる。広告者は、製品を所持し、その製品を他人の目に晒せば晒すほど、多くの広告代をもらえるため、高いモチベーションの元で活発に広告活動がなされる。その結果、潜在顧客が得られれば、広告効果が得られたことになる。
【０１１３】
これまでは、メーカーがブログを作成しても、そのブログを見てもらえる行為までに至らないことが多かった。それに対し、本発明の実施形態に係る広告システムによれば、製品購入者自身が広告者となって広告活動するとともに、ブログのＵＲＬ情報を製品に興味を持った人に通知することが可能となるため、ブログへのアクセスが活性化される。すなわち、ブログ機能と連携し、広告者が購入した製品を身に付けて広告することによって、ＴＶやインターネットなどの公共媒体を通じたコマーシャルでは行き届かなかった宣伝効果を生むことが可能となる。
【０１１４】
また、広告代を製品の販売実績に応じて支払えばよいので、メーカーの広告費用が効率的に使用されることになる。すなわち、公共媒体を通じた広告活動と比較すると、製品の販売実績に伴った広告費用の設定を実現することができる。そのため、広告費用の削減にもつながり、広告費を削減できた分だけ、製品の販売価格を下げて競争力を持たせることができる。
【０１１５】
また、メーカーが提供した広告者のブログのアクセス数によって潜在的な顧客ニーズを探り当てることができる。潜在的な顧客ニーズを探り当てれば、その顧客ニーズに応じて製品の生産状況を設定することもできるため、さらなるコスト削減にもつながる。
【０１１６】
また、潜在顧客が広告者のブログを見てその製品の購入に至った場合、潜在顧客に対して割引をするような販売システムとすれば、潜在顧客自体も積極的に製品に関する情報収集を行う可能性がある。そうなれば、潜在顧客に対する製品販売時において、レジ端末等を通じて、潜在顧客が収集した情報や購入実績をアンケートなどのフォームによってメーカーが効率的に収集することも可能となる。
【０１１７】
さらに、広告者となる製品購入者の中には、この広告システムを利用するためにより多品種の製品を購入する場合があり、メーカー側にとっては売り上げそのものの拡大も見込まれる。
【０１１８】
また、本発明の実施形態に係る広告システムは、一般的なレジが有するＰＯＳシステムを活用し、購入実績を比較的安価に管理できるため、システム導入が容易である。広告者端末や潜在顧客端末は、広告者や潜在顧客の所有物によって実現でき、また、広告者タグも、広告者端末の機能を転用することによって実現できる。さらには、管理サーバ自体も自社サーバとする必要がないため、初期投資の面で見てもコストを削減することができるなど、メリットが多い。
【０１１９】
（実施例）
図６には、本発明の実施形態に係る実施例の構成例を示した。実施例では、図１の実施形態に示した製品５０として衣服などのファッション製品を例とする。なお、実施形態の構成要素については、図１に示した符号を示した。
【０１２０】
実施例では、製品５０の購入者である広告者が、人通りの多い街中を出歩くことを想定する。この際、広告者は、購入した製品５０を身に着けて外出する。
【０１２１】
例えば、衣服、装飾品、サングラス、スカーフ、カバンなどといったものを、製品５０の一形態とする。また、髪型、化粧、マニキュア、香水などを製品５０の対象としてもよい。
【０１２２】
図６には、街中で広告者を見かけた他人（潜在顧客）が、広告者の身に着けている製品５０が気になり、その製品５０の情報にアクセスする様子を図示している。なお、図６の段階では、広告者は既に製品５０を購入し、広告者となる登録をしているものとする。
【０１２３】
まず、潜在顧客は広告者のファッションを見て、製品５０に対して興味を持つ（１）。
【０１２４】
潜在顧客は、広告者の所有する広告者端末３０にアクセスし、製品５０のブログのＵＲＬ情報を要求する（２）。なお、実施例では、広告者の所有する携帯端末が広告者端末３０であるとともに、広告タグ３５の機能を有するものとする。
【０１２５】
広告者端末３０は、潜在顧客端末４０に製品５０のブログのＵＲＬ情報を送信する（３）。
【０１２６】
潜在顧客は、潜在顧客端末４０によってブログのＵＲＬ情報を基にメーカーの管理サーバ１０に接続し、広告者のブログを閲覧する（４）。
【０１２７】
図７は、広告者が作成したブログ１００の画面の一例である。ブログ１００には、メーカー名、広告者の登録ＩＤ、広告者が購入した製品、ブログへのアクセス数などが表示される。
【０１２８】
潜在顧客は、広告者のブログにアクセスし、興味を持った製品５０の購入情報にアクセスする。例えば、潜在顧客は、広告者が身に着けていたワンピースの購入情報を得るため、ブログ１００上のワンピースと書かれた部分（下線）を選択・クリックすると、ワンピースの購入情報にリンクする。
【０１２９】
リンク先は、図８のようなワンピースの購入情報１１０となる。購入情報には、ブランド名、サイズ、価格、購入可能な店舗などの情報が記載されている。さらに、広告者による購入情報として、着心地などの使用感が記載されていることが望ましい。
【０１３０】
メーカーは、管理サーバ１０の広告代処理部１５によってブログのアクセス数に応じた広告代を計算させ、広告者に広告代を支払う（５）。
【０１３１】
本実施例は、ファッション品を購入した顧客自身が、購入した製品を身に付けて広告することによって広告収入を得ることができ、ファッション品を製造・販売するメーカーの広告効果を向上させることに特徴がある。すなわち、製品購入者自身が広告者となって広告活動することによって、宣伝効果を高める。
【０１３２】
図６に示すように、ファッションに興味のある潜在的な顧客が、製品５０の購入者（広告者）が身に付けたファッション品を街中等でたまたま見かけ興味を持つ。
【０１３３】
その潜在顧客は、携帯端末（潜在顧客端末４０）を介して、広告者が作成した購入品に関する詳細な情報が記載されたブログを閲覧する。
【０１３４】
広告者は、ブログへのアクセス数が多くなれば、受け取る広告代が多くなるため、アクセス数を得ようと、日頃から対象となるファッションを着こなし、色あわせ・流行などを先取る製品の購入に努める。また、広告者は、ブログ作成に関し、購入者としてのリアルな宣伝を心掛け、広告代を得ようとするモチベーションの高さから、他者の購買意欲をそそるようなブログ作成に努めることにつながる。
【０１３５】
メーカー側は、広告者のブログへのアクセス数とその製品の売上高に応じて、広告者に広告代を支払う。また、その潜在顧客がその製品購入に至った場合には、その購入実績に応じて、広告者に実績報酬を支払う。
【０１３６】
メーカー側は、実際の製品購入が発生してから広告代を支払うので、広告費を効果的に使うことができる。そのため、メーカー側にとっては、結果的に広告費の削減につながる。
【０１３７】
本実施例によれば、これまで行き届かなかった多様性の富む潜在的顧客ニーズを吸い上げ、かつ、製品購入者自身が広告者となり、収入を得たいというモチベーションに裏付けられた活発な広告活動をサポートする。そして、購入実績に基づいて、広告者に広告費を支払うというシステムとすることによって、対象とする製品の広告費削減につながる仕組みも含む広告システムを実現することができる。
【０１３８】
以上、実施形態を参照して本発明を説明してきたが、本発明は上記実施形態に限定されるものではない。本発明の構成や詳細には、本発明のスコープ内で当業者が理解し得る様々な変更をすることができる。
【符号の説明】
【０１３９】
１    広告システム
１０    管理サーバ
１１    情報サーバ
１２    ウェブサイトサーバ
１５    広告代処理部
１９    通信部
２０    レジ端末
３０    広告装置
４０    潜在顧客端末
５０    製品
１００    ブログ
１１０    購入情報
１１１    顧客ＤＢ
１１２    製品ＤＢ
１２１    サイトＤＢ
１２２    ブログＤＢ
【図１】
2014225193.tif 000003
【図２】
2014225193.tif 000004
【図３】
2014225193.tif 000005
【図４】
2014225193.tif 000006
【図５】
2014225193.tif 000007
【図６】
2014225193.tif 000008
【図７】
2014225193.tif 000009
【図８】
2014225193.tif 000010